(57)【要約】【課題】  高い安全性を備えた低コストの携帯型情報処理装置および携帯型情報処理装置の制御方法を提供することを目的とする。【解決手段】  情報を操作入力する操作入力部１１と、情報が記憶される記憶デバイス１２とを備えた携帯型情報処理装置であって、例えば携帯電話と交信して該携帯電話との間の距離が閾値を越えて離れているか否かを検知する距離センサ１３と、距離センサ１３により上記閾値を越えて離れていることが検知されたことを受けて、操作入力部１１からの操作入力を無効とするように操作入力部１１を制御する制御部１４とを備えた。【選択図】        図１
2007272349.tif 000002
【特許請求の範囲】
【請求項１】
情報を操作入力する操作入力部と、情報が記憶される記憶デバイスとを備えた携帯型情報処理装置において、
所定の携帯通信端末と交信して該携帯通信端末との間の距離が閾値を越えて離れているか否かを検知する距離センサと、
前記距離センサにより前記閾値を越えて離れていることが検知されたことを受けて、前記操作入力部からの操作入力を無効とするように該操作入力部を制御する制御部とを備えたことを特徴とする携帯型情報処理装置。
【請求項２】
この携帯型情報処理装置の使用もしくは分解を検知する検知センサを備え、
前記制御部は、前記距離センサにより検知された距離が所定の閾値を越え、かつ前記検知センサにより前記使用もしくは分解が検知されたときには、前記記憶デバイスをフォーマットするよう制御するものであることを特徴とする請求項１乃至４のいずれかに記載の携帯型情報処理装置。
【請求項３】
この携帯型情報処理装置の使用もしくは分解を検知する検知センサと、前記記憶デバイスの記憶媒体を物理的に破壊することにより該記憶デバイスに記憶された情報を消去する情報消去装置とを備え、
前記制御部は、前記距離センサにより検知された距離が所定の閾値を越え、かつ前記検知センサにより前記前記使用もしくは分解が検知されたときには、前記情報消去装置により前記記憶デバイスに記憶された情報を消去するよう制御するものであることを特徴とする請求項１乃至５のいずれかに記載の携帯型情報処理装置。
【請求項４】
前記制御部は、前記距離センサにより検知された距離が所定の閾値を越えたときには、前記携帯型情報処理装置と通信回線を介して接続されたサーバに対して、前記記憶デバイスに記憶されている情報を送信するものであることを特徴とする請求項１乃至７のいずれかに記載の携帯型情報処理装置。
【請求項５】
情報を操作入力する操作入力部と、情報が記憶される記憶デバイスとを備えた携帯型情報処理装置の制御方法であって、
所定の携帯通信端末と交信して該携帯通信端末との間の距離が閾値を越えて離れているか否かを検知する距離検知ステップと、
前記距離検知ステップにより、前記閾値を越えて離れていることが検知されたことを受けて、前記操作入力部からの操作入力を無効とするように該操作入力部を制御する制御ステップとを実行することを特徴とする携帯型情報処理装置の制御方法。
【発明の詳細な説明】
【技術分野】
【０００１】
本発明は、ノートＰＣやＰＤＡなどの携帯型情報処理装置および携帯型情報処理装置の制御方法に関する。
【背景技術】
【０００２】
最近、情報処理技術の進歩に伴い、パーソナルコンピュータ（以下、ＰＣと略記する）が、オフィスのみでなく家庭内にも広く普及している。このＰＣの普及に伴い、ＰＣ内に記憶された情報のセキュリティが次第に大きな問題となりつつある。特に、オフィス内のデスクトップＰＣやサーバなどと連携して情報処理が行われるノートＰＣやＰＤＡ（Ｐｅｒｓｏｎａｌ  Ｄｉｇｉｔａｌ  Ａｓｓｉｓｔａｎｔ）などの携帯型情報処理装置のセキュリティを如何に確保するかが重要な課題となっている。
【０００３】
これらの携帯型情報処理装置は、オフィス外に持ち出して使用される機会が多いため、外出先や交通機関などで紛失したり、盗難にあったりして内部に記憶された情報が漏洩する危険がある。そこで、紛失したり盗難にあった場合にも携帯型情報処理装置内に記憶された情報が簡単に読み出せないようにする技術が盛んに開発されている。
【０００４】
一般に、ＰＣの分野では、キーボードから予め認証済みのパスワードを入力しない限りはそのＰＣを起動できないようにする技術や、ＵＳＢ（Ｕｎｉｖｅｒｓａｌ  Ｓｅｒｉａｌ  Ｂｕｓ）メモリ内に認証済みのパスワードを記憶させておき、そのＵＳＢメモリがＰＣのＵＳＢ端子に装着された時にのみそのＰＣを使用可能とする技術が実用化されている。
【０００５】
しかし、これらの方法は比較的簡易に採用することができる反面、パスワードのみでは十分なセキュリティを保持することは難しいという問題がある。そこで、ノートＰＣの本体部上面に、人の手の指紋を検出する指紋センサを備え、この指紋センサにより指先の指紋パターンを読み取り、読み取った指紋パターンと予めノートＰＣに登録されている認証済みの指紋パターンとが一致したと判定された場合に、そのノートＰＣへのアクセスを許可するという方式が提案されている。例えば、静電容量型のセンサアレイを用いて指先の指紋パターンと指の動きとの双方を検出することにより、本人認証機能とポインティングデバイスの機能との双方を実現するようにした技術が提案されている（特許文献１参照）。また、指先の指紋パターンをスキャンするとともに、指の回転量および移動量を簡単な回路構成で検出できるようにした指紋認証技術が開示されている（特許文献２参照）。
【特許文献１】特開２００３−２９８６８９号公報
【特許文献２】特開２００４−２７２４５８号公報
【発明の開示】
【発明が解決しようとする課題】
【０００６】
上記の指紋認証による方式は、キーボードからパスワードを入力する煩わさがなく、またＵＳＢメモリの紛失によるトラブルがないなどという利点はあるものの、ハード・ソフト両面でコストが嵩むという問題がある。また、この指紋認証による方式によってもノートＰＣが紛失や盗難などにあった場合の情報の漏洩を防止することはできない。
【０００７】
本発明は、上記事情に鑑み、高い安全性を備えた低コストの携帯型情報処理装置および携帯型情報処理装置の制御方法を提供することを目的とする。
【課題を解決するための手段】
【０００８】
上記目的を達成する本発明の携帯型情報処理装置は、
情報を操作入力する操作入力部と、情報が記憶される記憶デバイスとを備えた携帯型情報処理装置において、
所定の携帯通信端末と交信して該携帯通信端末との間の距離が閾値を越えて離れているか否かを検知する距離センサと、
上記距離センサにより上記閾値を越えて離れていることが検知されたことを受けて、上記操作入力部からの操作入力を無効とするように該操作入力部を制御する制御部とを備えたことを特徴とする。
【０００９】
本発明の携帯型情報処理装置によれば、例えば、紛失や盗難などの理由で、この携帯型情報処理装置が、この携帯型情報処理装置の利用者が所有する携帯電話との距離が所定の閾値を越えた場合には、この携帯型情報処理装置の操作入力部からの操作入力が無効となるので利用者以外の者による情報の読出しを防止することができる。
【００１０】
ここで、上記操作入力部はキーボードであってもよいが、キーボード以外に、例えば、タッチスクリーンなど、操作入力機能を有するものであればどのようなものであってもよい。
【００１１】
また、この携帯型情報処理装置が、自らの位置情報を取得する位置情報取得部と、通信回線を介して接続されたサーバとの間で情報の送受信を行う送受信部とを備え、
上記制御部は、上記距離センサにより検知された距離が所定の閾値を越えたときには、自らの位置情報を上記送受信部を介して上記サーバに送信させるよう制御するものであってもよい。
【００１２】
また、上記位置情報取得部は、ＧＰＳ衛星からの電波を受信して自らの位置情報を取得するものであってもよい。
【００１３】
また、この携帯型情報処理装置の使用もしくは分解を検知する検知センサを備え、
上記制御部は、上記距離センサにより検知された距離が所定の閾値を越え、かつ上記検知センサにより上記使用もしくは分解が検知されたときには、上記記憶デバイスをフォーマットするよう制御するものであってもよい。
【００１４】
ここで、上記検知センサは、例えば、ノートＰＣのディスプレイ部分（蓋を兼ねているもの）の開閉を検知する蓋開閉検知センサ、ノートＰＣ本体内部のハードディスク装置を格納容器に固定する止めビスに連動するセンサ、あるいは格納容器の蓋に仕掛けたセンサなど、ＰＣ各部の開閉を感知するセンサ一切を含むものである。
【００１５】
このように構成した場合は、この携帯型情報処理装置とこの携帯型情報処理装置の利用者が所有する携帯電話との間の距離が所定の閾値を越え、かつ上記検知センサが作動したときには、ハードディスク装置などの記憶デバイスはフォーマットされるので、仮に、その記憶デバイスが本体部から取り出されたとしても、その記憶デバイスに記憶された情報の内容は削除されているので、情報漏洩は防止される。
【００１６】
また、この携帯型情報処理装置の使用もしくは分解を検知する検知センサと、上記記憶デバイスの記憶媒体を物理的に破壊することにより該記憶デバイスに記憶された情報を消去する情報消去装置とを備え、上記制御部は、上記距離センサにより検知された距離が所定の閾値を越え、かつ上記検知センサにより上記使用もしくは分解が検知されたときには、上記情報消去装置により上記記憶デバイスに記憶された情報を消去するよう制御するものであってもよい。
【００１７】
ここで、上記情報消去装置とは、例えば、ハードディスク装置の記憶媒体であるプラッタに酸又はアルカリ溶液を塗布することによりプラッタに記憶された情報を物理的に消去する装置などをいう。
【００１８】
このように構成した場合は、この携帯型情報処理装置とこの携帯型情報処理装置の利用者が所有する携帯電話との間の距離が所定の閾値を越え、かつ上記検知センサが作動したときには、記憶デバイスに記憶された情報は上記情報消去装置により物理的に消去されるので、仮に、そのハードディスク装置などが本体部から取り出されたとしても、記憶デバイスに記憶された情報は物理的に削除されているので、情報漏洩は防止される。
【００１９】
また、上記情報消去装置は、上記記憶媒体に酸又はアルカリ溶液を塗布することで、情報を消去するものであってもよい。
【００２０】
また、上記制御部は、上記距離センサにより検知された距離が所定の閾値を越えたときには、上記携帯型情報処理装置と通信回線を介して接続されたサーバに対して、上記記憶デバイスに記憶されている情報を送信するものであってもよい。
【００２１】
このように構成した場合は、この携帯型情報処理装置とこの携帯型情報処理装置の利用者が所有する携帯電話との間の距離が所定の閾値を越えたときには、この携帯型情報処理装置の記憶デバイスに記憶されている最新の情報がサーバに送信されサーバ内の情報は更新されるので、最新の情報が失われることがなくなる。
【００２２】
また、上記目的を達成する本発明の携帯型情報処理装置の制御方法は、
情報を操作入力する操作入力部と、情報が記憶される記憶デバイスとを備えた携帯型情報処理装置の制御方法であって、
所定の携帯通信端末と交信して該携帯通信端末との間の距離が閾値を越えて離れているか否かを検知する距離検知ステップと、
上記距離検知ステップにより、上記閾値を越えて離れていることが検知されたことを受けて、上記操作入力部からの操作入力を無効とするように該操作入力部を制御する制御ステップとを実行することを特徴とする。
【００２３】
本発明の携帯型情報処理装置の制御方法によれば、例えば、紛失や盗難などの理由で、この携帯型情報処理装置とこの携帯型情報処理装置の利用者が所有する携帯電話との距離が所定の閾値を越えた場合には、操作入力部からの操作入力が無効となるので利用者以外の者による情報の読出しを防止することができる。
【００２４】
ここで、上記制御ステップは、上記携帯型情報処理装置と通信回線を介して接続されたサーバに対して、上記記憶デバイスに記憶されている情報を送信するものであってもよい。
【発明の効果】
【００２５】
本発明の携帯型情報処理装置および携帯型情報処理装置の制御方法によれば、高い安全性を備えた低コストの携帯型情報処理装置を実現することができる。
【発明を実施するための最良の形態】
【００２６】
以下、図を参照して本発明の実施の形態を説明する。
【００２７】
図１は、本発明の携帯型情報処理装置の機能ブロック図である。
【００２８】
図１に示すように、本発明の携帯型情報処理装置１０は、情報を操作入力する操作入力部１１と、情報が記憶される記憶デバイス１２とを備えた携帯型情報処理装置であって、所定の携帯通信端末と交信して該携帯通信端末との間の距離が閾値を越えて離れているか否かを検知する距離センサ１３と、距離センサ１３により上記閾値を越えて離れていることが検知されたことを受けて、操作入力部１１からの操作入力を無効とするように操作入力部１１を制御する制御部１４とを備えている。
【００２９】
また、この携帯型情報処理装置１０は、ＧＰＳ衛星からの電波を受信して自らの位置情報を取得する位置情報取得部１５と、通信回線を介して接続されたサーバとの間で情報の送受信を行う送受信部１６とを備えた構成であってもよい。
【００３０】
また、制御部１４は、距離センサ１３により検知された距離が所定の閾値を越えたときには、自らの位置情報を上記送受信部１６を介して上記サーバに送信させるよう制御するものとして構成してもよい。
【００３１】
また、この携帯型情報処理装置１０の使用もしくは分解を検知する検知センサ１７を備え、上記制御部１４は、上記距離センサ１３により検知された距離が所定の閾値を越え、かつ上記検知センサ１７により上記使用もしくは分解が検知されたときには、記憶デバイス１２をフォーマットするよう制御するものとして構成してもよい。
【００３２】
また、この携帯型情報処理装置の使用もしくは分解を検知する検知センサ１７と、記憶デバイス１２の記憶媒体を物理的に破壊することにより記憶デバイス１２に記憶された情報を消去する情報消去装置１８とを備え、上記制御部１４は、上記距離センサ１３により検知された距離が所定の閾値を越え、かつ上記検知センサ１７により上記使用もしくは分解が検知されたときには、上記情報消去装置１８により記憶デバイス１２に記憶された情報を消去するよう制御するものとして構成してもよい。
【００３３】
さらに、上記制御部１４は、上記距離センサ１３により検知された距離が所定の閾値を越えたときには、上記情報消去装置１８の動作前に、上記送受信部１６に、記憶デバイス１２に記憶されている情報のサーバへの送信を指示するものとして構成してもよい。
【００３４】
図２は、本発明の携帯型情報処理装置の一実施形態であるノートＰＣの外観斜視図である。
【００３５】
このノートＰＣ１０は、スタンドアローンのコンピュータシステムとして運用することもできるし、また、通信回線６０を介してサーバ６１と接続することによりクライアントサーバシステムとして運用することもできる。通信回線６０としては、無線ＬＡＮ（Ｌｏｃａｌ  Ａｒｅａ  Ｎｅｔｗｏｒｋ）、有線ＬＡＮ，あるいは公衆無線ＬＡＮなどいずれの通信回線を用いてもよい。
【００３６】
このノートＰＣ１０は、本体ユニット２０と表示ユニット３０とからなる２つのユニットからなっており、表示ユニット３０は、本体ユニット２０に対してヒンジ部４０により開閉自在に支持されている。
【００３７】
本体ユニット２０の上面には、ユーザにより情報が操作入力されるキーボード２１が備えられている。また、この本体ユニット２０には、上面に、指の接触および接触した指の動きを検出するグライドポイント２２、マウスの左釦、右釦と同様の役割を担う左クリック釦２３、および右クリック釦２４が備えられている。
【００３８】
さらに、本体ユニット２０の前面には、フレキシブルディスクが取出し自在に装填され、装填されたフレキシブルディスクを回転させて回転中のフレキシブルディスクをアクセスするするフレキシブルディスクドライブ（図示せず）の装填口２６ａが設けられている。
【００３９】
また、本体ユニット２０の右前部には、通信回線６０を介してサーバ６１との間で情報の送受信を行う送受信部３２が内蔵されている。
【００４０】
さらに、本体ユニット２０の右側面には、ＣＤあるいはＤＶＤが取出し自在に装填され、装填されたＣＤあるいはＤＶＤを回転させて回転中のＣＤあるいはＤＶＤをアクセスするＣＤ／ＤＶＤドライブの装填口２７ａ（図示せず）が設けられている。本体ユニット２０の右側面には、さらに、一部がＣＤ／ＤＶＤドライブと上下に重なる位置に、各種の記憶メディア（スマートメディア（登録商標）、ＳＤカード（登録商標）など）が取出し自在に挿入され挿入されている記憶メディアをアクセスするメディアスロットの挿入口２８ａ（図示せず）が設けられている。
【００４１】
また、本体ユニット２０の筐体内部には、各部の動作を制御する制御部１４（図１参照）としての機能を始め各種の処理機能を有するＣＰＵ４１（図３参照）やメインメモリ４２などが搭載されたマザーボード、情報を記憶するハードディスク装置４３などの記憶デバイスその他の各種デバイスが内蔵されている。
【００４２】
一方、表示ユニット３０上には、画像を表示する表示画面３１が組み込まれており、さらに、表示ユニット３０の内部には、携帯電話３４やＰＨＳなどと交信してその携帯電話３４との間の距離が閾値を越えて離れているか否かを検知する距離センサ３３、およびＧＰＳ衛星３５からの電波を受信して自らの位置情報を取得する位置情報取得部３６などが内蔵されている。
【００４３】
この表示ユニット３０は、上記本体ユニット２０を覆う蓋としての機能をも有するものであり、本体ユニット２０の左前部には、蓋、すなわち表示ユニット３０が本体ユニット２０に対して開閉いずれの状態にあるかを検知する蓋開閉検知センサ２５が内蔵されている。
【００４４】
この蓋開閉検知センサ２５のセンサ機能は、利用者の操作に応じてオン／オフ切替自在となっており、センサ機能をオンにした場合には、蓋開閉検知センサ２５が表示ユニット３０の開状態を検知したときに、キーボード２１、グラインドポイント２２、左クリック釦２３、右クリック釦２４等の入力デバイスはロックされ使用不可能な状態となるように制御部１４（図１参照）により制御される。
【００４５】
以上、本実施形態の携帯型情報処理装置としてノートＰＣについて説明したが、本発明にいう携帯型情報処理装置は、ノートＰＣのみに限定されるものではなく、例えばノートＰＣ、タブレットＰＣ、ＰＤＡなど、操作入力部と記憶デバイスとを備えた携帯型の情報処理装置をすべて含む。
【００４６】
また、本実施形態では、操作入力部の一例として、キーボード２１について説明したが、本発明にいう操作入力部は、キーボードのみに限定されるものではなく、例えばタブレットＰＣなどに備えられるタッチスクリーンなどをも含む。
【００４７】
また、本実施形態では、携帯通信端末の一例として、携帯電話３４について説明したが、本発明にいう携帯通信端末は、携帯電話のみに限定されるものではなく、例えばＰＨＳ（Ｐｅｒｓｏｎａｌ  Ｈａｎｄｙｐｈｏｎｅ  Ｓｙｓｔｅｍ）やＰＤＡなどの携帯型の通信端末をも含む。
【００４８】
また、検知センサの一例として蓋開閉検知センサ２５（図２参照）を挙げたが、本発明にいう検知センサは、この蓋開閉検知センサ２５以外に、ハードディスク装置を格納容器に固定する止めビスに連動するセンサ、あるいは格納容器の蓋に仕掛けたセンサなど、ノートＰＣ各部のカバーの開閉を感知するセンサ一切（以下、単にＰＣ開閉感知センサという）を含んでいる。
【００４９】
図３は、図２に示すノートＰＣのハードウエア構成を示す図である。
【００５０】
図３に示すノートＰＣ１０には、各種プログラムの実行をはじめ各部の動作を制御する制御部１４（図１参照）としての機能を有するＣＰＵ４１、ハードディスク装置４３（図１に示す記憶デバイス１２の一例）に格納されたプログラムが読み出され、ＣＰＵ４１での実行のために展開されるメインメモリ４２、各種プログラムや文書データ、画像データなどが保存されるハードディスク装置４３、フレキシブルディスク４４＿１が装填され、その装填されたフレキシブルディスク４４＿１をアクセスするフレキシブルディスクドライブ４４、ＣＤ／ＤＶＤ４５＿１をアクセスするＣＤ／ＤＶＤドライブ４５、通信回線６０（図２参照）を介してサーバ６１との間で情報の送受信を行う送受信部３２、表示画面３１、キーボード２１（図１に示す操作入力部１１の一例）、左・右クリック釦２３，２４、グライドポイント２２、蓋開閉検知センサ２５（図１に示す検知センサ１３の一例）、距離センサ３３、位置情報取得部３６、および情報消去装置３９が備えられており、これらはバス４８を介して相互に接続されている。
【００５１】
次に、本実施形態のノートＰＣの動作について説明する。
【００５２】
図４は、本実施形態のノートＰＣのオフィス内使用時の動作を示すフローチャートである。
【００５３】
図４には、ノートＰＣ１０が、例えばオフィス内の一定の境界内で使用されている状態におけるノートＰＣ１０が示されている。この状態では、オフィス内のセキュリティ管理体制が強固なものであれば、上記ＰＣ開閉感知センサのセンサ機能をオンにしておく必要はないが、第３者がオフィス内に自由に出入り可能な環境の場合には、ノートＰＣが盗難にあう危険性があるので、その場合には、ＰＣ開閉感知センサのセンサ機能をオンにしておき、ＰＣ開閉感知センサが開を検知したときの制御部１４（図１参照）によるキーボード２１のロック機能を有効にしておく。
【００５４】
図４に示すように、このノートＰＣ１０の利用者が境界内にいるか否かに応じて上記ＰＣ開閉感知センサのセンサ機能をオン・オフいずれかに設定する（ステップＳ０１）。利用者が境界内にいる場合にはセンサ機能はオフに設定する（ステップＳ０２）。センサ機能がオフに設定された場合にははそのまま稼働を続けることができる。
【００５５】
一方、利用者が境界内にいない場合には、ＰＣ開閉感知センサのセンサ機能はオンに設定され、それに応じて制御部１４（図１参照）によるキーボード２１のロック機能が自動的に作動状態となる。なお、このロック機能は、電気的なロックであり、秘密コマンドにより解除可能である。こうしてキーボード２１がロックされることにより、ノートＰＣ１０の記憶デバイスに記憶された情報が、例えばコピーコマンドなどで外部に複写されるのを防止することができる。
【００５６】
ステップＳ０１で境界内に利用者がおらず、キーボードロック機能が自動的に作動状態となった場合には、ノートＰＣ１０の利用者の所有する携帯電話３４（図２参照）に警報が送られ、利用者の判断が求められる（ステップＳ０３）。利用者はそれに応じてノートＰＣ１０がオフィス内にあるか否かを確認する（ステップＳ０４）。この確認は、例えば、利用者自らが行ってもよいが、オフィス内に、例えばオフィス内の各ノートＰＣの所在位置をモニタするＰＣ位置情報サービスシステムなどのようなシステムが整備されている場合にはそのシステムを利用して確認することができる。
【００５７】
ステップＳ０４における確認の結果、ノートＰＣ１０がオフィス内にあることが確認された場合にはその所在位置を確認した後、そのままノートＰＣ１０の稼働を続けることができる（ステップＳ０５）。
【００５８】
一方、ステップＳ０４における確認の結果、ノートＰＣ１０がオフィス内にないことが確認された場合には後述する図６に示すフローに移行する。
【００５９】
図５は、本実施形態のノートＰＣのオフィス外使用時の状態を示す図であり、図６は、本実施形態のノートＰＣのオフィス外使用時の動作を示すフローチャートである。
【００６０】
図５には、ノートＰＣ１０に備えられた距離センサ３３により、ノートＰＣ１０とこのノートＰＣ１０の利用者の所持している携帯電話３４との間の距離が所定の閾値、例えば２０メートルを越えて離れていることが検知された場合、すなわちこのノートＰＣ１０の利用者が、携帯電話３４とノートＰＣ１０とが上記２０メートルに相当する境界４９よりも内側の位置Ａから、境界４９外の位置Ｂに移動した状態が示されている。なお、利用者自身が移動する代わりにノートＰＣ１０自体が移動した場合も同様である。
【００６１】
このように、距離センサ３３によりノートＰＣ１０と携帯電話３４との間の距離が２０メートルを越えて離れていることが検知されると、本実施形態のノートＰＣ１０の制御部１４（図１参照）は、操作入力部１１（図１参照）、すなわちキーボード２１（図２参照）からの操作入力を無効とするように該操作入力部１１を制御する。こうすることにより、このノートＰＣ１０が利用者による管理が不可能な状態となった場合には、利用権を有しない者による操作入力が禁止されるので、情報漏洩を防止することができる。
【００６２】
また、図５に示すように、このノートＰＣ１０は、ＧＰＳ衛星３５からの電波を受信して自らの位置情報を取得する位置情報取得部３６と、通信回線６０を介して接続されたサーバ６１との間で情報の送受信を行う送受信部３２とを備えている。例えば、距離センサ３３によりノートＰＣ１０と携帯電話３４との間の距離が２０メートルを越えて離れていることが検知されると、このノートＰＣ１０の制御部１４（図１参照）は、自らの位置情報を送受信部３２を介してサーバ６１に送信させるよう制御する。
【００６３】
このように構成することにより、このノートＰＣ１０が利用者による管理が不可能な状態となった場合に、利用者は、サーバ６１を介してノートＰＣ１０の位置情報を知ることができるので、その位置情報に基づきノートＰＣ１０を探すなどの適切な対応策を講ずることができる。
【００６４】
この実施形態では、このノートＰＣ１０の利用者により、ＰＣ開閉感知センサのセンサ機能はオン、制御部１４（図１参照）によるキーボード２１のロック機能および情報消去装置１８（図１参照）は連動して動作する状態にセットされ、利用者とともにノートＰＣ１０の移動が行われている状態を想定している。
【００６５】
また、ノートＰＣ１０の記憶デバイスに記憶された情報を保全するために、記憶デバイスの情報はサーバ６１と同期がとれるように直近に更新した情報差分を素早く取り出せるようになっている。
【００６６】
なお、オフィス外では、ノートＰＣ１０の置き忘れや盗難などが考えられるが、置き忘れなどの場合には、拾得した善意の第三者から返還されることがあるので、記憶デバイスの情報の消去までは行わないが、返還される可能性が低いと判断されたような場合には、記憶デバイスの情報を消去する制御が行われる。
【００６７】
すなわち、図６に示すように、先ず、ノートＰＣ１０が境界４９（図５参照）外に移動し、かつＰＣ開閉感知センサが作動しているか否かの判定が行われる（ステップＳ１１）。
【００６８】
ステップＳ１１における判定の結果、ＰＣ開閉感知センサが作動していない場合には、位置情報取得部３６（図５参照）により取得されたＧＰＳ位置情報に基づきノートＰＣ１０の現在位置を確認する（ステップＳ１２）。この位置情報に基づき自ら回収に向かってもよいし、このノートＰＣの所在を知っている第三者の存在が明らかな場合には、その第三者からの返還を待つこととしてもよい。
【００６９】
一方、ステップＳ１１における判定の結果、ＰＣ開閉感知センサが作動している場合には、キーボード２１のロック機能はＰＣ開閉感知センサと連動しているので第三者によるキーボード操作は不可能な状態となっている（ステップＳ１３）。
【００７０】
次に、ノートＰＣ１０の送受信部３２（図３参照）は、記憶デバイスの直近の更新情報をサーバ６１に送信する（ステップＳ１４）。これによりノートＰＣ１０の最新の情報はサーバ６１にバックアップされ、情報は保全される。尚、直近の更新情報だけでなく、記憶データ全てを送信するようにしてもよい。
【００７１】
次に、ノートＰＣ１０の制御部１４（図１参照）は、ハードディスク装置４３（図３参照）をフォーマットする。これにより、記憶デバイスに記憶された情報は論理的に消去される（ステップＳ１５）。
【００７２】
さらに、ノートＰＣ１０の制御部１４（図１参照）は、情報消去装置３９を起動して、ハードディスク装置４３の記憶媒体の表面に酸又はアルカリ溶液を塗布することにより記憶媒体を物理的に破壊する（ステップＳ１６）。こうすることにより、ノートＰＣ１０が盗難にあった場合でも情報漏洩を完全に防止することができる。
【００７３】
以上に説明した実施の形態に関し、更に以下の付記を開示する。
【００７４】
（付記１）  情報を操作入力する操作入力部と、情報が記憶される記憶デバイスとを備えた携帯型情報処理装置において、
所定の携帯通信端末と交信して該携帯通信端末との間の距離が閾値を越えて離れているか否かを検知する距離センサと、
前記距離センサにより前記閾値を越えて離れていることが検知されたことを受けて、前記操作入力部からの操作入力を無効とするように該操作入力部を制御する制御部とを備えたことを特徴とする携帯型情報処理装置。
【００７５】
（付記２）  前記操作入力部がキーボードであることを特徴とする付記１記載の携帯型情報処理装置。
【００７６】
（付記３）  この携帯型情報処理装置が、自らの位置情報を取得する位置情報取得部と、通信回線を介して接続されたサーバとの間で情報の送受信を行う送受信部とを備え、
前記制御部は、前記距離センサにより検知された距離が所定の閾値を越えたときには、自らの位置情報を前記送受信部を介して前記サーバに送信させるよう制御するものであることを特徴とする付記１又は２記載の携帯型情報処理装置。
【００７７】
（付記４）  前記位置情報取得部は、ＧＰＳ衛星からの電波を受信して自らの位置情報を取得することを特徴とする付記３記載の携帯型情報処理装置。
【００７８】
（付記５）  この携帯型情報処理装置の使用もしくは分解を検知する検知センサを備え、
前記制御部は、前記距離センサにより検知された距離が所定の閾値を越え、かつ前記検知センサにより前記使用もしくは分解が検知されたときには、前記記憶デバイスをフォーマットするよう制御するものであることを特徴とする付記１乃至４のいずれかに記載の携帯型情報処理装置。
【００７９】
（付記６）  この携帯型情報処理装置の使用もしくは分解を検知する検知センサと、前記記憶デバイスの記憶媒体を物理的に破壊することにより該記憶デバイスに記憶された情報を消去する情報消去装置とを備え、
前記制御部は、前記距離センサにより検知された距離が所定の閾値を越え、かつ前記検知センサにより前記前記使用もしくは分解が検知されたときには、前記情報消去装置により前記記憶デバイスに記憶された情報を消去するよう制御するものであることを特徴とする付記１乃至５のいずれかに記載の携帯型情報処理装置。
【００８０】
（付記７）  前記情報消去装置は、前記記憶媒体に酸又はアルカリ溶液を塗布することで、情報を消去することを特徴とする付記６記載の携帯情報処理装置。
【００８１】
（付記８）  前記制御部は、前記距離センサにより検知された距離が所定の閾値を越えたときには、前記携帯型情報処理装置と通信回線を介して接続されたサーバに対して、前記記憶デバイスに記憶されている情報を送信するものであることを特徴とする付記１乃至７のいずれかに記載の携帯型情報処理装置。
【００８２】
（付記９）  情報を操作入力する操作入力部と、情報が記憶される記憶デバイスとを備えた携帯型情報処理装置の制御方法であって、
所定の携帯通信端末と交信して該携帯通信端末との間の距離が閾値を越えて離れているか否かを検知する距離検知ステップと、
前記距離検知ステップにより、前記閾値を越えて離れていることが検知されたことを受けて、前記操作入力部からの操作入力を無効とするように該操作入力部を制御する制御ステップとを実行することを特徴とする携帯型情報処理装置の制御方法。
【００８３】
（付記１０）  前記制御ステップは、前記携帯型情報処理装置と通信回線を介して接続されたサーバに対して、前記記憶デバイスに記憶されている情報を送信することを特徴とする付記９記載の携帯型情報処理装置の制御方法。
【図面の簡単な説明】
【００８４】
【図１】本発明の携帯型情報処理装置の概略構成を示す図である。
【図２】本発明の携帯型情報処理装置の一実施形態であるノートＰＣの外観斜視図である。
【図３】図２に示すノートＰＣのハードウエア構成を示す図である。
【図４】本実施形態のノートＰＣのオフィス内使用時の動作を示すフローチャートである。
【図５】本実施形態のノートＰＣのオフィス外使用時の状態を示す図である。
【図６】本実施形態のノートＰＣのオフィス外使用時の動作を示すフローチャートである。
【符号の説明】
【００８５】
１０    携帯型情報処理装置
１１    操作入力部
１２    記憶デバイス
１３    距離センサ
１４    制御部
１５    位置情報取得部
１６    送受信部
１７    検知センサ
１８    情報消去装置
２０    本体ユニット
２１    キーボード
２２    グライドポイント
２３    左クリック釦
２４    右クリック釦
２５    蓋開閉検知センサ
２６ａ    装填口
２７ａ    装填口
２８ａ    挿入口
３０    表示ユニット
３１    表示画面
３３    距離センサ
３４    携帯電話
３５    ＧＰＳ衛星
３６    位置情報取得部
３９    情報消去装置
４０    ヒンジ部
４１    ＣＰＵ
４２    メインメモリ
４３    ハードディスク装置
４４    フレキシブルディスクドライブ
４４＿１    フレキシブルディスク
４５    ＣＤ／ＤＶＤドライブ
４５＿１    ＣＤ／ＤＶＤ
４８    バス
６０    通信回線
６１    サーバ
【図１】
2007272349.tif 000003
【図２】
2007272349.tif 000004
【図３】
2007272349.tif 000005
【図４】
2007272349.tif 000006
【図５】
2007272349.tif 000007
【図６】
2007272349.tif 000008